(57)【要約】【課題】ラスターローテーションによる映像画面の傾きを認識し難いＣＲＴ映像表示装置を実現する。【解決手段】映像を所定の管面１ａに表示するブラウン管１と、その管面１ａの周囲を囲む枠部５を有するキャビネット５０を備えるＣＲＴ映像表示装置１４において、その枠部５における上枠部５１と下枠部５２に、互いに対向する向きに管面１ａとの境界に向かって傾斜する曲面となっている傾斜面５１ａ、５２ａを形成するとともに、その傾斜面５１ａ、５２ａに、管面１ａとの境界から枠部５の外周側に向かって、ブラウン管１の管面１ａに表示されるレターボックスの黒帯と略同色である黒色がその枠部５の所定の色へと変化する色変化が、円弧状に徐々に拡がる着色部５５を施す構成にした。【選択図】図４
2006303828.tif 000002
【特許請求の範囲】
【請求項１】
映像を所定の管面に表示するブラウン管と、
前記管面の前面側に位置するとともにその管面の周囲を囲む枠部を有し、前記ブラウン管を覆う筐体と、を備えるＣＲＴ映像表示装置において、
前記枠部における前記管面の上方に位置する上枠部と、前記枠部における前記管面の下方に位置する下枠部には、互いに対向する向きに前記管面との境界に向かって傾斜する曲面となっている傾斜面が形成されているとともに、前記傾斜面には、前記管面との境界から当該枠部の外周側に向かって、前記ブラウン管の管面に表示されるレターボックスの黒帯と略同色である黒色が当該枠部の所定の色へと変化する色変化が、円弧状に徐々に拡がる着色部が施されていることを特徴とするＣＲＴ映像表示装置。
【請求項２】
映像を所定の管面に表示するブラウン管と、
前記管面の前面側に位置するとともにその管面の周囲を囲む枠部を有し、前記ブラウン管を覆う筐体と、を備えるＣＲＴ映像表示装置において、
前記枠部における前記管面の上方に位置する上枠部と、前記枠部における前記管面の下方に位置する下枠部には、互いに対向する向きに前記管面との境界に向かって傾斜する傾斜面が形成されていることを特徴とするＣＲＴ映像表示装置。
【請求項３】
前記傾斜面は、曲面となっていることを特徴とする請求項２に記載のＣＲＴ映像表示装置。
【請求項４】
映像を所定の管面に表示するブラウン管と、
前記管面の前面側に位置するとともにその管面の周囲を囲む枠部を有し、前記ブラウン管を覆う筐体と、を備えるＣＲＴ映像表示装置において、
前記枠部における前記管面の上方に位置する上枠部と、前記枠部における前記管面の下方に位置する下枠部には、前記管面との境界に向かって当該枠部の所定の色から徐々に黒色へと変化する着色部が施されていることを特徴とするＣＲＴ映像表示装置。
【請求項５】
前記枠部に施される着色部は、前記上枠部と前記下枠部から、前記枠部における前記管面の側方に位置する横枠部に亘って施されていることを特徴とする請求項４に記載のＣＲＴ映像表示装置。
【請求項６】
前記枠部に施される着色部は、前記枠部における前記管面との境界から円弧状に色変化が拡がるように施されていることを特徴とする請求項４又は５に記載のＣＲＴ映像表示装置。
【請求項７】
前記枠部に施される着色部における黒色は、前記ブラウン管の管面に表示されるレターボックスの黒帯と略同色であることを特徴とする請求項４〜６のいずれか一項に記載のＣＲＴ映像表示装置。
【発明の詳細な説明】
【技術分野】
【０００１】
本発明は、ＣＲＴ映像表示装置に関する。
【背景技術】
【０００２】
従来、ＣＲＴ（Cathode Ray Tube；陰極線管、ブラウン管）を用いたテレビなどのＣＲＴ映像表示装置が知られている。
【０００３】
このＣＲＴ映像表示装置におけるブラウン管の表示管面に隣接するキャビネットの内周枠部をその外周側より暗色に塗装することによって、ブラウン管に表示される映像画面を際立たせるようになっているＣＲＴ映像表示装置が知られている（例えば、特許文献１参照。）。
【０００４】
また、ＣＲＴ映像表示装置は、陰極から生ずる電子ビームの進路を磁場によりコントロールすることによって電気信号を光の像に変換するという仕組みであるが故に、地磁気の影響を受けることがある。例えば、ＣＲＴ映像表示装置の設置地域や設置方向に応じた地磁気の影響によって、その表示装置のブラウン管に表示される映像画面が傾いてしまうラスターローテーションが発生してしまうことがある。
【０００５】
このような地磁気の影響を低減するために、消磁コイルが配設されたＣＲＴ映像表示装置が知られている（例えば、特許文献２参照。）。
【０００６】
なお、このラスターローテーションが発生してしまった場合でも、その映像画像の傾きは微少なものであるので、通常のテレビサイズ（４：３／フルスクリーンサイズ）で映像を観賞する際には、ユーザがその傾きを認識することはほとんどなかった。
【特許文献１】特開昭６０−１９８２１６号公報
【特許文献２】実開昭６３−１４７０９１号公報
【発明の開示】
【発明が解決しようとする課題】
【０００７】
しかしながら、近年、映画などをＣＲＴ映像表示装置で観賞する際、映像自体を１６：９のワイドスクリーンサイズで観賞するために、映像画面の上下に黒帯を入れたレターボックスサイズによる表示を行うことが多くなってきている。
【０００８】
このようにＣＲＴ映像表示装置において、黒帯を入れたレターボックスサイズによる表示を行う場合、図７に示すように、ＣＲＴ映像表示装置１７のキャビネット８０とブラウン管１の境界線Ａと、ブラウン管１の映像画面における黒帯と実映像領域の境界線Ｂとを視認して比較しやすい状態となる。
【０００９】
上記特許文献１の場合、黒帯を入れたレターボックスサイズによる表示を行う際に、ラスターローテーションが発生してしまうと、ＣＲＴ映像表示装置はブラウン管に表示される映像画面を際立たせるため、ユーザは境界線Ａと境界線Ｂとをより比較しやすくなる。そして、ユーザが境界線Ａと境界線Ｂの傾きの違いを認識することによって、映像画面の傾きを認識してしまうことがあった。
【００１０】
また、上記特許文献２の場合、図８に示すように、ＣＲＴ映像表示装置１８のキャビネット９０とブラウン管１の境界に段差９があるため、その段差９により境界に影などが生じることによって境界線Ａが際立つので、黒帯を入れたレターボックスサイズによる表示を行う際に、地磁気の影響が大きくラスターローテーションが発生してしまうと、ユーザは境界線Ａと境界線Ｂとをより比較しやすくなる。そして、ユーザが境界線Ａと境界線Ｂの傾きの違いを認識することによって、映像画面の傾きを認識してしまうことがあった。
【００１１】
本発明の目的は、ラスターローテーションによる映像画面の傾きを認識し難いＣＲＴ映像表示装置を提供することである。
【課題を解決するための手段】
【００１２】
以上の課題を解決するため、請求項１記載の発明は、映像を所定の管面に表示するブラウン管と、前記管面の前面側に位置するとともにその管面の周囲を囲む枠部を有し、前記ブラウン管を覆う筐体と、を備えるＣＲＴ映像表示装置において、前記枠部における前記管面の上方に位置する上枠部と、前記枠部における前記管面の下方に位置する下枠部には、互いに対向する向きに前記管面との境界に向かって傾斜する曲面となっている傾斜面が形成されているとともに、前記傾斜面には、前記管面との境界から当該枠部の外周側に向かって、前記ブラウン管の管面に表示されるレターボックスの黒帯と略同色である黒色が当該枠部の所定の色へと変化する色変化が、円弧状に徐々に拡がる着色部が施されていることを特徴とする。
【００１３】
請求項２記載の発明は、映像を所定の管面に表示するブラウン管と、前記管面の前面側に位置するとともにその管面の周囲を囲む枠部を有し、前記ブラウン管を覆う筐体と、を備えるＣＲＴ映像表示装置において、前記枠部における前記管面の上方に位置する上枠部と、前記枠部における前記管面の下方に位置する下枠部には、互いに対向する向きに前記管面との境界に向かって傾斜する傾斜面が形成されていることを特徴とする。
【００１４】
請求項３記載の発明は、請求項２に記載のＣＲＴ映像表示装置において、前記傾斜面は、曲面となっていることを特徴とする。
【００１５】
請求項４記載の発明は、映像を所定の管面に表示するブラウン管と、前記管面の前面側に位置するとともにその管面の周囲を囲む枠部を有し、前記ブラウン管を覆う筐体と、を備えるＣＲＴ映像表示装置において、前記枠部における前記管面の上方に位置する上枠部と、前記枠部における前記管面の下方に位置する下枠部には、前記管面との境界に向かって当該枠部の所定の色から徐々に黒色へと変化する着色部が施されていることを特徴とする。
【００１６】
請求項５記載の発明は、請求項４に記載のＣＲＴ映像表示装置において、前記枠部に施される着色部は、前記上枠部と前記下枠部から、前記枠部における前記管面の側方に位置する横枠部に亘って施されていることを特徴とする。
【００１７】
請求項６記載の発明は、請求項４又は５に記載のＣＲＴ映像表示装置において、前記枠部に施される着色部は、前記枠部における前記管面との境界から円弧状に色変化が拡がるように施されていることを特徴とする。
【００１８】
請求項７記載の発明は、請求項４〜６のいずれか一項に記載のＣＲＴ映像表示装置において、前記枠部に施される着色部における黒色は、前記ブラウン管の管面に表示されるレターボックスの黒帯と略同色であることを特徴とする。
【発明の効果】
【００１９】
請求項１記載の発明によれば、ＣＲＴ映像表示装置は、ブラウン管の管面に映像を表示することができ、その管面の周囲を囲む枠部における上枠部と下枠部には、互いに対向する向きに管面との境界に向かって傾斜する曲面となっている傾斜面が形成されているので、上枠部と下枠部は緩やかな曲面勾配によって管面との境界に隣接することなり、その境界に段差などによる影が生じ難くなる。つまり、上枠部や下枠部と、管面との境界が影によって目立つようなことがなくなり、枠部と管面との境界線が曖昧化される。
【００２０】
更に、ＣＲＴ映像表示装置の枠部の傾斜面には、管面との境界から枠部の外周側に向かって、ブラウン管の管面に表示されるレターボックスの黒帯と略同色である黒色が枠部の所定の色へと変化する色変化が、円弧状に徐々に拡がる着色部が施されている。
【００２１】
そして、ＣＲＴ映像表示装置が、レターボックスサイズの映像表示を行った際に、上枠部や下枠部と隣接する管面には、レターボックスの黒帯が表示されるので、枠部と管面との境界において、上枠部や下枠部の着色部の黒色と、管面に表示される黒帯の黒色とが並ぶこととなり、枠部と管面との境界を視認し難くなって、枠部と管面との境界線が曖昧化される。
【００２２】
特に、その着色部は、管面との境界から円弧状に徐々に明度変化、色彩変化するように、レターボックスの黒帯の黒色から枠部の所定の色に色変化するようになっているので、境界付近における急激な色変化に比べて、より枠部と管面との境界線を曖昧化することができる。
【００２３】
よって、ＣＲＴ映像表示装置において、黒帯を入れたレターボックスサイズによる映像表示を行う場合であっても、枠部の傾斜面の形状とその傾斜面に施された着色部との相乗効果によって、筐体の枠部と管面との境界線を曖昧化し、ラスターローテーションによる映像画面の傾きを認識し難くすることができる。
【００２４】
請求項２記載の発明によれば、ＣＲＴ映像表示装置は、ブラウン管の管面に映像を表示することができ、その管面の周囲を囲む枠部における上枠部と下枠部には、互いに対向する向きに管面との境界に向かって傾斜する傾斜面が形成されているので、上枠部と下枠部は緩やかな勾配によって管面との境界に隣接することなり、その境界に段差などによる影が生じ難くなる。つまり、上枠部や下枠部と、管面との境界が影によって目立つようなことがなくなり、枠部と管面との境界線が曖昧化される。
【００２５】
よって、ＣＲＴ映像表示装置において、黒帯を入れたレターボックスサイズによる映像表示を行う場合であっても、筐体の枠部と管面との境界線を曖昧化し、ラスターローテーションによる映像画面の傾きを認識し難くすることができる。
【００２６】
請求項３記載の発明によれば、請求項２に記載の発明と同様の効果が得られることは無論のこと、ＣＲＴ映像表示装置の傾斜面は曲面を有するので、その傾斜面は緩やかな曲面勾配によって、管面との境界に隣接することなり、その境界に影はより生じ難くなる。
【００２７】
従って、ＣＲＴ映像表示装置において、黒帯を入れたレターボックスサイズによる映像表示を行う場合であっても、筐体の枠部と管面との境界線をより曖昧化し、ラスターローテーションによる映像画面の傾きを認識し難くすることができる。
【００２８】
請求項４記載の発明によれば、ＣＲＴ映像表示装置は、ブラウン管の管面に映像を表示することができ、その管面の周囲を囲む枠部における上枠部と下枠部には、管面との境界に向かってその枠部の所定の色から徐々に黒色へと変化する着色部が施されている。
【００２９】
そして、ＣＲＴ映像表示装置が、レターボックスサイズの映像表示を行った際に、上枠部や下枠部と隣接する管面には、レターボックスの黒帯が表示されるので、枠部と管面との境界において、上枠部や下枠部の着色部の黒色と、管面に表示される黒帯の黒色とが並ぶこととなり、枠部と管面との境界を視認し難くなって、枠部と管面との境界線が曖昧化される。
【００３０】
特に、その着色部は、管面との境界から徐々に明度変化、色彩変化するように、黒色から枠部の所定の色に色変化するようになっているので、境界付近における急激な色変化に比べて、より枠部と管面との境界線を曖昧化することができる。
【００３１】
よって、ＣＲＴ映像表示装置において、黒帯を入れたレターボックスサイズによる映像表示を行う場合であっても、筐体の枠部と管面との境界線を曖昧化し、ラスターローテー
ションによる映像画面の傾きを認識し難くすることができる。
【００３２】
請求項５記載の発明によれば、請求項４に記載の発明と同様の効果が得られることは無論のこと、ＣＲＴ映像表示装置の枠部に施される着色部は、上枠部と下枠部から、枠部における管面の側方に位置する横枠部に亘って施されているので、上枠部や下枠部と横枠部とが交わる部分である管面における角部近傍においても、枠部と管面との境界線を曖昧化しやすくなる。従って、ＣＲＴ映像表示装置において、黒帯を入れたレターボックスサイズによる映像表示を行う場合であっても、筐体の枠部と管面との境界線をより曖昧化し、ラスターローテーションによる映像画面の傾きを認識し難くすることができる。
【００３３】
請求項６記載の発明によれば、請求項４又は５に記載の発明と同様の効果が得られることは無論のこと、ＣＲＴ映像表示装置の枠部に施される着色部は、枠部における管面との境界から円弧状に色変化が拡がるように施されているので、枠部と管面との境界線が直線状であることを視認し難くすることができる。そして、枠部と管面との境界線が曖昧化される。従って、ＣＲＴ映像表示装置において、黒帯を入れたレターボックスサイズによる映像表示を行う場合であっても、筐体の枠部と管面との境界線をより曖昧化し、ラスターローテーションによる映像画面の傾きを認識し難くすることができる。
【００３４】
請求項７記載の発明によれば、請求項４〜６のいずれか一項に記載の発明と同様の効果が得られることは無論のこと、ＣＲＴ映像表示装置の枠部に施される着色部における黒色は、ブラウン管の管面に表示されるレターボックスの黒帯と略同色であるので、ＣＲＴ映像表示装置において、レターボックスサイズの映像表示を行った際に、枠部と管面との境界を視認し難くなり、枠部と管面との境界線が曖昧化される。従って、ＣＲＴ映像表示装置において、黒帯を入れたレターボックスサイズによる映像表示を行う場合であっても、筐体の枠部と管面との境界線をより曖昧化し、ラスターローテーションによる微少な映像画面の傾きを認識し難くすることができる。
【発明を実施するための最良の形態】
【００３５】
以下、図面を参照して本発明に係るＣＲＴ映像表示装置の実施の形態について詳細に説明する。
【００３６】
（実施形態１）
図１に示すように、ＣＲＴ映像表示装置１１は、映像を表示するブラウン管１と、ブラウン管１を覆う筐体であるキャビネット２０等を備えている。
【００３７】
また、ＣＲＴ映像表示装置１１は、図示しない受信部と、その受信部や外部機器からの映像信号の入力を受け付ける入力部（図示省略）と、装置各部の動作処理を制御する制御部（図示省略）を備えている。
【００３８】
ブラウン管１は、映像を表示する所定の管面１ａを有する。そして、ブラウン管１は、図示しない入力部に入力された映像信号に基づく映像を、管面１ａに表示する。
【００３９】
なお、ブラウン管１は、映像信号に基づく電子ビームを出力し、その電子ビームを管面１ａの蛍光面に当てることにより映像を形成する周知の映像表示機器であるので、ここでは詳述しない。
【００４０】
キャビネット２０は、ブラウン管１の管面１ａの前面側に位置するとともにその管面１ａの周囲を囲む枠部２を備え、ブラウン管１をその内部に収容するように覆っている。
【００４１】
枠部２は、ブラウン管１の管面１ａに接触するように配置されており、この枠部２は、枠部２における管面１ａの上方に位置する上枠部２１と、枠部２における管面１ａの下方に位置する下枠部２２を有している。
【００４２】
この上枠部２１と下枠部２２には、それぞれ管面１ａとの境界に向かって傾斜する傾斜
面２１ａ、２２ａが形成されている。そして、この傾斜面２１ａ、２２ａは、互いに対向する向きに管面１ａとの境界に向かって傾斜するようになっており、キャビネット２０から管面１ａまでが急激な奥行き変化とならないようになっている。
【００４３】
このキャビネット２０は、図１に示すように、その枠部２における上枠部２１、下枠部２２と、ブラウン管１の管面１ａとの境界に段差がなく、その管面１ａとの境界に隣接する傾斜面２１ａ、２２ａは、緩やかなスロープ状となっているので、その境界に段差による影は生じ難くなっている。
【００４４】
図示しない受信部は、例えば、アンテナ機器を有し、選局されたチャンネルなどに応じた所定の映像信号を受信するとともに、受信した映像信号を図示しない入力部に送出する。
【００４５】
図示しない入力部は、受信部（図示省略）や、ＤＶＤプレーヤなどの外部機器からの映像信号の入力を受け付けるとともに、図示しない制御部の制御処理によって、その映像信号をブラウン管１に出力する。
【００４６】
このようなキャビネット２０を備えるＣＲＴ映像表示装置１１であれば、キャビネット２０と、ブラウン管１の管面１ａとの境界に影は生じ難くなっているので、キャビネット２０と管面１ａとの境界を際立たせることなく、その境界を曖昧化することができる。
【００４７】
よって、ＣＲＴ映像表示装置１１において、黒帯を入れたレターボックスサイズによる映像表示を行う場合であっても、キャビネット２０と管面１ａとの境界線を曖昧化し、ラスターローテーションによる微少な映像画面の傾きを認識し難くすることができる。
【００４８】
（実施形態２）
次に、本発明に係るＣＲＴ映像表示装置の実施形態２について説明する。なお、実施形態１と同一部分には同一符号を付し、異なる部分についてのみ説明する。
【００４９】
図２に示すように、ＣＲＴ映像表示装置１２は、映像を表示するブラウン管１と、ブラウン管１を覆う筐体であるキャビネット３０等を備えている。また、ＣＲＴ映像表示装置１２は、図示しない受信部と、その受信部や外部機器からの映像信号の入力を受け付ける入力部（図示省略）と、装置各部の動作処理を制御する制御部（図示省略）を備えている。
【００５０】
キャビネット３０は、ブラウン管１の管面１ａの前面側に位置するとともにその管面１ａの周囲を囲む枠部３を備え、ブラウン管１をその内部に収容するように覆っている。
【００５１】
枠部３は、ブラウン管１の管面１ａに接触するように配置されており、この枠部３は、枠部３における管面１ａの上方に位置する上枠部３１と、枠部３における管面１ａの下方に位置する下枠部３２を有している。
【００５２】
この上枠部３１と下枠部３２には、それぞれ管面１ａとの境界に向かって傾斜する傾斜面３１ａ、３２ａが形成されている。そして、この傾斜面３１ａ、３２ａは、互いに対向する向きに管面１ａとの境界に向かって傾斜するようになっており、特に、傾斜面３１ａ、３２ａは、表面側が凸面となる曲面となっている。そして、キャビネット３０から管面１ａまでが急激な奥行き変化とならないようになっている。
【００５３】
このキャビネット３０は、図２に示すように、その枠部３における上枠部３１、下枠部３２と、ブラウン管１の管面１ａとの境界に段差がなく、その管面１ａとの境界に隣接する傾斜面３１ａ、３２ａは、緩やかな曲面勾配となっているので、その境界に段差による影はより生じ難くなっている。
【００５４】
このようなキャビネット３０を備えるＣＲＴ映像表示装置１２であれば、キャビネット
３０と、ブラウン管１の管面１ａとの境界に影はより生じ難くなっているので、キャビネット３０と管面１ａとの境界を際立たせることなく、その境界を曖昧化することができる。また、キャビネット３０の傾斜面３１ａ、３２ａは、緩やかな曲面勾配であるため、傾斜面３１ａ、３２ａ表面で反射する反射光は散乱などにより曖昧化され、その境界を曖昧化することができる。
【００５５】
よって、ＣＲＴ映像表示装置１２において、黒帯を入れたレターボックスサイズによる映像表示を行う場合であっても、キャビネット３０と管面１ａとの境界線を曖昧化し、ラスターローテーションによる微少な映像画面の傾きを認識し難くすることができる。
【００５６】
（実施形態３）
次に、本発明に係るＣＲＴ映像表示装置の実施形態３について説明する。なお、実施形態１と同一部分には同一符号を付し、異なる部分についてのみ説明する。
【００５７】
図３に示すように、ＣＲＴ映像表示装置１３は、映像を表示するブラウン管１と、ブラウン管１を覆う筐体であるキャビネット４０等を備えている。また、ＣＲＴ映像表示装置１３は、図示しない受信部と、その受信部や外部機器からの映像信号の入力を受け付ける入力部（図示省略）と、装置各部の動作処理を制御する制御部（図示省略）を備えている。
【００５８】
キャビネット４０は、ブラウン管１の管面１ａの前面側に位置するとともにその管面１ａの周囲を囲む枠部４を備え、ブラウン管１をその内部に収容するように覆っている。
【００５９】
枠部４は、ブラウン管１の管面１ａに接触するように配置されており、この枠部４は、枠部４における管面１ａの上方に位置する上枠部４１と、枠部４における管面１ａの下方に位置する下枠部４２を有している。
【００６０】
この上枠部４１と下枠部４２には、枠部４の外周側から管面１ａとの境界に向かって、枠部４の所定の色から徐々に明度変化、色彩変化して黒色へと変化する着色部４４がそれぞれ施されている。そして、この着色部４４における黒色は、ブラウン管１の管面１ａに表示されるレターボックスの黒帯の黒色と略同色である。
【００６１】
なお、ここでいう略同色とは、若干の色差はあるものの一瞥する程度ではその色差を感じないような色ということである。着色部４４における黒色は、レターボックスの黒帯の黒色と同一色であることが好ましいが、ブラウン管１の管面１ａと枠部４の表面とでは、その材質の質感などに違いがあるので完全な同一色とすることが困難である。そのため、着色部４４の黒色は、管面１ａに表示されるレターボックスの黒帯の黒色とに色差がほとんど感じられない程度の略同色とすればよい。
【００６２】
また、この上枠部４１と下枠部４２には、キャビネット４０から管面１ａまでが急激な奥行き変化とならないように、それぞれ管面１ａとの境界に向かって傾斜する傾斜面４１ａ、４２ａが形成されている。つまり、着色部４４は、傾斜面４１ａ、４２ａ上に施されている。
【００６３】
なお、着色部４４は、塗料をキャビネット４０に塗装することによって形成してもよく、また、着色フィルムなどをキャビネット４０に貼付することによって形成してもよい。また、キャビネット４０を成形する際に着色部４４を施すようにしてもよい。
【００６４】
このように、キャビネット４０の上枠部４１と下枠部４２には、図３に示すように、枠部４の外周側から管面１ａとの境界に向かって、枠部４の所定の色から徐々に黒色へと変化するグラデーションを有する着色部４４が施されているので、枠部４（上枠部４１、下枠部４２）との境界に隣接する管面１ａにレターボックスの黒帯が表示された際に、キャビネット４０（枠部４）と管面１ａとの境界線を曖昧化することができる。
【００６５】
また、キャビネット４０は、その枠部４における上枠部４１、下枠部４２と、ブラウン管１の管面１ａとの境界に段差がなく、その管面１ａとの境界に隣接する傾斜面４１ａ、
４２ａは、緩やかなスロープ状となっているので、その境界に影は生じ難くなっている。
【００６６】
つまり、このようなキャビネット４０を備えるＣＲＴ映像表示装置１３であれば、ブラウン管１の管面１ａにレターボックスの黒帯が表示された場合、上枠部４１や下枠部４２の着色部４４の黒色と、その管面１ａに表示される黒帯の黒色とが隣接することとなり、枠部４と管面１ａとの境界を視認し難くなるので、キャビネット４０（枠部４）と管面１ａとの境界線を曖昧化することができる。更に、キャビネット４０と、ブラウン管１の管面１ａとの境界に段差による影は生じ難くなっているので、キャビネット４０と管面１ａとの境界をより曖昧化することができる。
【００６７】
よって、ＣＲＴ映像表示装置１３において、黒帯を入れたレターボックスサイズによる映像表示を行う場合であっても、キャビネット４０と管面１ａとの境界線を曖昧化し、ラスターローテーションによる微少な映像画面の傾きを認識し難くすることができる。
【００６８】
（実施形態４）
次に、本発明に係るＣＲＴ映像表示装置の実施形態４について説明する。なお、実施形態１と同一部分には同一符号を付し、異なる部分についてのみ説明する。
【００６９】
図４に示すように、ＣＲＴ映像表示装置１４は、映像を表示するブラウン管１と、ブラウン管１を覆う筐体であるキャビネット５０等を備えている。また、ＣＲＴ映像表示装置１４は、図示しない受信部と、その受信部や外部機器からの映像信号の入力を受け付ける入力部（図示省略）と、装置各部の動作処理を制御する制御部（図示省略）を備えている。
【００７０】
キャビネット５０は、ブラウン管１の管面１ａの前面側に位置するとともにその管面１ａの周囲を囲む枠部５を備え、ブラウン管１をその内部に収容するように覆っている。
【００７１】
枠部５は、ブラウン管１の管面１ａに接触するように配置されており、この枠部５は、枠部５における管面１ａの上方に位置する上枠部５１と、枠部５における管面１ａの下方に位置する下枠部５２と、枠部５における管面１ａの側方に位置する横枠部５３、５４を有している。
【００７２】
この上枠部５１と下枠部５２と横枠部５３、５４には、管面１ａとの境界から枠部５の外周側に向かって徐々に明度変化、色彩変化し、黒色から枠部５の所定の色へと変化する色変化が、円弧状に徐々に拡がる着色部５５が施されている。なお、この着色部５５における黒色は、ブラウン管１の管面１ａに表示されるレターボックスの黒帯の黒色と同一色であることが好ましいが、その着色部５５の黒色と、管面１ａにおける黒帯の黒色とに色差がほとんど感じられない程度の僅かな色差を有する略同色であればよい。
【００７３】
また、この上枠部５１と下枠部５２と横枠部５３、５４には、キャビネット５０から管面１ａまでが急激な奥行き変化とならないように、それぞれ管面１ａとの境界に向かって曲面を形成しつつ傾斜する傾斜面５１ａ、５２ａ、５３ａ、５４ａが形成されている。つまり、キャビネット５０の枠部５は、その外周側から管面１ａとの境界に向かって傾斜するすり鉢状となっている。
【００７４】
そして、着色部５５は、上枠部５１と下枠部５２から、横枠部５３、５４に亘って施されており、着色部５５は、傾斜面５１ａ、５２ａ、５３ａ、５４ａ上に略楕円形状を呈するように施されている。なお、着色部５５は、塗料をキャビネット５０に塗装することによって形成してもよく、また、着色フィルムなどをキャビネット５０に貼付することによって形成してもよい。また、キャビネット５０を成形する際に着色部５５を施すようにしてもよい。
【００７５】
このように、キャビネット５０の枠部５には、図４に示すように、管面１ａとの境界から枠部５の外周側に向かって、ブラウン管１の管面１ａに表示されるレターボックスの黒
帯と略同色である黒色が枠部５の所定の色へと変化する色変化が円弧状に徐々に拡がるようになっているグラデーションを有する着色部５５が施されているので、枠部５（上枠部５１、下枠部５２）との境界に隣接する管面１ａにレターボックスの黒帯が表示された際に、キャビネット５０（枠部５）と管面１ａとの境界線を曖昧化することができる。特に、その色変化が管面１ａとの境界から円弧状に拡がるようになっているので、枠部５と管面１ａとの境界線が直線状であることを視認し難くすることができる。
【００７６】
また、キャビネット５０は、その枠部５における上枠部５１、下枠部５２、横枠部５３、５４と、ブラウン管１の管面１ａとの境界に段差がなく、その管面１ａとの境界に隣接する傾斜面５１ａ、５２ａ、５３ａ、５４ａは、緩やかな曲面を有するスロープ状となっているので、その境界に段差による影は生じ難くなっている。
【００７７】
つまり、このようなキャビネット５０を備えるＣＲＴ映像表示装置１４であれば、ブラウン管１の管面１ａにレターボックスの黒帯が表示された場合、上枠部５１や下枠部５２の着色部５５の黒色と、その管面１ａに表示される黒帯の黒色とが隣接することとなり、枠部５と管面１ａとの境界を視認し難くなるので、キャビネット５０（枠部５）と管面１ａとの境界線を曖昧化することができる。更に、キャビネット５０と、ブラウン管１の管面１ａとの境界に段差による影は生じ難くなっているので、キャビネット５０と管面１ａとの境界をより曖昧化することができる。
【００７８】
よって、ＣＲＴ映像表示装置１４において、黒帯を入れたレターボックスサイズによる映像表示を行う場合であっても、キャビネット５０と管面１ａとの境界線を曖昧化し、ラスターローテーションによる微少な映像画面の傾きを認識し難くすることができる。
【００７９】
また、図５に示すように、ＣＲＴ映像表示装置１５のキャビネット６０の枠部６における管面１ａとの境界の近傍にランダムな斜線を複数施して、枠部６の内周側を縁取るような模様を施してもよい。
【００８０】
このように、枠部６における管面１ａとの境界の近傍にランダムな斜線を複数施すことによって、キャビネット６０（枠部６）と管面１ａとの境界線を曖昧化することができる。
【００８１】
従って、ＣＲＴ映像表示装置１５において、黒帯を入れたレターボックスサイズによる映像表示を行う場合であっても、キャビネット６０と管面１ａとの境界線を曖昧化し、ラスターローテーションによる微少な映像画面の傾きを認識し難くすることができる。
【００８２】
なお、枠部６に施される模様は、複数の斜線によるメッシュ状（網状）の模様であってもよい。
【００８３】
また、枠部６に施す斜線などによる模様によって、枠部６のデザイン性、装飾性を向上させることもできる。
【００８４】
また、図６に示すように、ＣＲＴ映像表示装置１６のキャビネット７０の枠部７における管面１ａとの境界が波状の曲線となるように、枠部７（キャビネット７０）を形成するようにしてもよい。
【００８５】
このように、枠部７における管面１ａとの境界部分を波状の曲線とすることによって、枠部７と管面１ａとの境界線を曖昧化することができる。つまり、ブラウン管１に黒帯が入るレターボックスの表示が行われた際に、その映像画面における黒帯と実映像領域の境界線（境界線Ｂ；図７参照）と比較される、枠部７と管面１ａとの境界線（境界線Ａ；図７参照）が曖昧化されているので、その映像画面の境界線（Ｂ）の傾きが認識し難くなる。
【００８６】
従って、ＣＲＴ映像表示装置１６において、黒帯を入れたレターボックスサイズによる映像表示を行う場合であっても、キャビネット７０と管面１ａとの境界線を曖昧化し、ラスターローテーションによる微少な映像画面の傾きを認識し難くすることができる。
【００８７】
なお、枠部７に形成する波状の曲線は、規則的な波形状より、ランダムな波形状であることが好ましい。
【００８８】
また、枠部７における境界部分を波状の曲線に形成するのではなく、所望する模様やデザインに応じたレリーフなどをその境界部分に形成することによって、枠部７におけるその境界線部分を非直線状にして、枠部７と管面１ａとの境界線を曖昧化するようにしてもよい。
【００８９】
また、枠部７に施す曲線部分やレリーフなどによって、枠部７のデザイン性、装飾性を向上させることもできる。
【００９０】
なお、以上の実施の形態においては、傾斜面に施す曲面は凸面であるとしたが、本発明はこれに限定されるものではなく、傾斜面の曲面は凹面であってもよい。
【００９１】
また、以上の実施の形態においては、枠部に施す着色部における色変化は、管面１ａとの境界から枠部の外周側に向かって円弧状や略楕円形状に徐々に拡がるとしたが、本発明はこれに限定されるものではなく、色変化が拡がる形状は任意の形状であってもよい。
【００９２】
また、枠部に施す着色部における色変化は、黒色から枠部の所定の色へと変化するとしたが、本発明はこれに限定されるものではなく、黒色から任意の色へと変化するようにしてもよい。また、レターボックスサイズの表示における帯部分の色に応じて、その帯部分の色からの色変化を行うようにしてもよい。
【００９３】
また、その他、具体的な細部構造等についても適宜に変更可能であることは勿論である。
【図面の簡単な説明】
【００９４】
【図１】本発明の実施形態１におけるＣＲＴ映像表示装置の断面視側面図である。
【図２】本発明の実施形態２におけるＣＲＴ映像表示装置の断面視側面図である。
【図３】本発明の実施形態３におけるＣＲＴ映像表示装置の正面図である。
【図４】本発明の実施形態４におけるＣＲＴ映像表示装置の正面図である。
【図５】本発明の他の実施形態におけるＣＲＴ映像表示装置の正面図である。
【図６】本発明の他の実施形態におけるＣＲＴ映像表示装置の正面図である。
【図７】従来のＣＲＴ映像表示装置の正面図であり、ＣＲＴ映像表示装置において黒帯を入れたレターボックスサイズによる表示を行う場合の説明図である。
【図８】従来のＣＲＴ映像表示装置の断面視側面図である。
【符号の説明】
【００９５】
１      ブラウン管
１ａ    管面
２、３、４、５、６、７  枠部
２０、３０、４０、５０、６０、７０  キャビネット（筐体）
２１、３１、４１、５１  上枠部
２１ａ、３１ａ、４１ａ、５１ａ  傾斜面
２２、３２、４２、５２  下枠部
２２ａ、３２ａ、４２ａ、５２ａ  傾斜面
５３、５４  横枠部
５３ａ、５４ａ  傾斜面
１１、１２、１３、１４、１５、１６  ＣＲＴ映像表示装置
４４、５５  着色部
【図１】
2006303828.tif 000003
【図２】
2006303828.tif 000004
【図５】
2006303828.tif 000005
【図６】
2006303828.tif 000006
【図７】
2006303828.tif 000007
【図８】
2006303828.tif 000008
【図３】
2006303828.tif 000009
【図４】
2006303828.tif 000010